(57)【要約】  【課題】  過回転防止構造の実現に際して、高さ方向に嵩張らない薄型化を確保しながらトルククロスのない過回転防止構造を構築する回転支持機構の過回転防止構造および携帯端末を提供することを目的とする。  【解決手段】  本体に軸支されたカバーを平面方向に１８０度正転または逆転させたときの同開位置に回転停止させる際、該カバーを開方向に回転させて本体とカバーとの両係止部材を開位置対応部で係止対応させたとき、一方の係止部材を開位置合せ用の可動規制位置まで可動させて前記カバーを開位置に回転停止させる回転止め手段を備えて回転支持機構の過回転防止構造を構築する。  【選択図】  図１２
2006125429.tif 000002
【特許請求の範囲】
【請求項１】
本体とカバーとを重ね合せて閉じた閉位置から前記カバーを重ね合せたままの平面方向に回転させて、前記カバーを正逆転自在にそれぞれ回転させた同開位置に回転停止させる回転支持機構であって、
前記カバーを正転または逆転させたときの開位置に対応する本体とカバーとの開位置対応部のうち、本体側の開位置対応部に取付けられた第１係止部材と、
カバー側の開位置対応部に取付けられた第２係止部材と、
前記両係止部材の一方をカバーの回転方向に可動支持し、他方を固定して設け、前記カバーを開方向に回転させて前記両係止部材を開位置対応部で係止対応させたとき、前記一方の係止部材を開位置合せ用の可動規制位置まで可動させて前記カバーを開位置に回転停止させる回転止め手段と、
を備えた回転支持機構の過回転防止構造。
【請求項２】
本体とカバーとを重ね合せて閉じた閉位置から前記カバーを重ね合せたままの平面方向に回転させて、前記カバーを正逆転自在にそれぞれ１８０度回転させた同開位置に回転停止させる回転支持機構であって、
前記平面方向に偏心して回転し、その回転した１８０度向きの異なる一方のカム面上の最大偏心回転位置に閉位置対応部を有し、他方のカム面上の最小偏心回転位置に開位置対応部を有する偏心カムと、
前記偏心カムの軸心を通して１８０度向きの異なる前記閉位置対応部と開位置対応部との双方の位置を結ぶ方向と同方向に押圧方向を設定して該偏心カムのカム面を押圧し、そのカム面上の閉位置対応部と対応したとき該偏心カムへの押圧負荷と回転規制力とを高めて偏心カムの回転動作を停止させ、これより開位置対応部側に近づくに従い該偏心カムへの押圧負荷を低くし、開位置対応部と対応したとき該偏心カムに対する回転規制力を高めて偏心カムの回転動作を停止させる押圧手段と、
前記偏心カムと押圧手段の一方を前記本体に取付け、他方を前記カバーに取付けてカバーを回転支持し、前記カバーを１８０度正転または逆転させたときの開位置に対応する本体とカバーとの開位置対応部のうち、本体側の開位置対応部に取付けられた第１係止部材と、
カバー側の開位置対応部に取付けられた第２係止部材と、
前記両係止部材の一方をカバーの回転方向に可動支持し、他方を固定して設け、前記カバーを開方向に回転させて前記両係止部材を開位置対応部で係止対応させたとき、前記一方の係止部材を開位置合せ用の可動規制位置まで可動させて前記カバーを開位置に回転停止させる回転止め手段と、
を備えた回転支持機構の過回転防止構造。
【請求項３】
前記回転止め手段は一端を回動支点に他端を前記カバーの回転方向に回動自由に軸支させた回転止めレバーと、
前記回転止めレバーの回動角度を規制する角度規制部とを設け、
前記回転止めレバーと角度規制部との一方を本体とカバーとが対応する開位置対応部の本体側に取付け、他方を開位置対応部のカバー側に取付けた
請求項１または２記載の回転支持機構の過回転防止構造。
【請求項４】
前記回転止め手段は前記カバーの回転方向に沿ってスライド可能に支持されたスライダと、
前記スライダのスライド位置を規制するスライド規制部とを設け、
前記スライダとスライド規制部との一方を前記開位置対応部の本体側に取付け、他方を前記開位置対応部のカバー側に取付けた
請求項１または２記載の回転支持機構の過回転防止構造。
【請求項５】
請求項１〜４記載のいずれかの回転支持機構の過回転防止構造を用いた携帯端末。
【発明の詳細な説明】
【技術分野】
【０００１】
この発明は、例えば携帯電話機、電子手帳、デジタルカメラ、デジタルビデオカメラ等の携帯端末の開閉部分に用いられるような回転支持機構に関し、さらに詳しくは本体とカバーとを重ね合せたままの平面方向にカバーを開操作した場合の該カバーの過回転を防止する回転支持機構の過回転防止構造および携帯端末に関する。
【背景技術】
【０００２】
以下、携帯電話機の本体とカバーとの重ね合せ面間を開閉可能に支持する回転支持機構を例にとって説明する。  
一般に、携帯電話機の回転支持機構は、本体とカバーとを２つ折りに折畳んで重ね合せた状態から回転支持部の回転軸を開閉支点に、本体とカバーを重ね合せた方向に開ける中折れタイプの回転支持機構(カバー開閉機構)が知られている(例えば特許文献１参照)。
【０００３】
しかし、このような回転支持機構のカバーを開操作する場合、利用者が片方の手で本体を支え、他方の空いた手でカバーを掴んで開操作しなければならず、カバーを開けるには両手を必要としていた。このため、カバーを簡単に開操作することができなかった。
【０００４】
このため、図２１(Ａ)および図２１(Ｂ)に示すように、本体２１１とカバー２１２とを重ね合せた状態から上側のカバー２１２を重ね合せたままの平面方向に略１８０度近く回転させて開操作する平面開閉型の携帯電話機２１３が知られている。
【０００５】
このように平面方向にカバーを開閉する回転支持機構は、カバーの開閉構造上、回転軸が垂直方向になるため嵩高になってしまい、この結果、携帯電話機の薄型化が難しくなっていた。
【０００６】
例えば、特許文献２に開示されているヒンジ装置では、ヒンジを中心とする回動部品はヒンジの軸(高さ)方向に構成部品を積層して組付けるため嵩高になり、薄型の携帯電話機には適用できなかった。
【０００７】
さらに、積層方向に比較的大きなバネの付勢力を持たせたヒンジ構造により、回転体を回転方向の任意の位置に位置決めして止めることができる回転係止構造を構築している。つまり、回転体の回動操作を停止した位置で該回転体を回転停止することを目的としている。よって、積層した構成部品の重ね合せ面間はバネの強接触圧が作用して接触抵抗が大きく、回転操作においてもトルクロスの大きいものであった。それゆえ、回転体をワンタッチで自動的に回転させるような円滑な回転が要求される用途には適用できなかった。
【０００８】
さらに、回転体を決められた開位置に回転停止させる停止構造においても、回転体の過回転を防止する過回動阻止機構を備えているが、構造が複雑であり、さらに高さ方向に構成部品が嵩んで大型化する問題を有していた。
【０００９】
【特許文献１】特開２００３−２８１３８号
【特許文献２】特開２００４−１９７８６２号。
【発明の開示】
【発明が解決しようとする課題】
【００１０】
そこでこの発明は、過回転防止構造の実現に際して、高さ方向に嵩張らない薄型化を確保しながら過回転の防止構造を簡単に構築することができる回転支持機構の過回転防止構造および携帯端末を提供することを目的とする。
【課題を解決するための手段】
【００１１】
この発明は、本体とカバーとを重ね合せて閉じた閉位置から前記カバーを重ね合せたままの平面方向に回転させて、前記カバーを正逆転自在にそれぞれ回転させた同開位置に回転停止させる回転支持機構であって、前記カバーを正転または逆転させたときの開位置に対応する本体とカバーとの開位置対応部のうち、本体側の開位置対応部に取付けられた第１係止部材と、カバー側の開位置対応部に取付けられた第２係止部材と、前記両係止部材の一方をカバーの回転方向に可動支持し、他方を固定して設け、前記カバーを開方向に回転させて前記両係止部材を開位置対応部で係止対応させたとき、前記一方の係止部材を開位置合せ用の可動規制位置まで可動させて前記カバーを開位置に回転停止させる回転止め手段とを備えた回転支持機構の過回転防止構造であることを特徴とする。
【００１２】
この発明によると、第１係止部材と第２係止部材は、一方が本体に取付けられ、他方がカバーに取付けられて互いの開位置対応部で係止対応する関係にある。よって、カバーを閉位置から開位置へと回転させたときの開位置対応部ではカバー側の係止部材が本体側の係止部材に係止されて回転係止される。このとき、一方の係止部材が開位置合せ用の可動規制位置まで可動して、カバーを開位置に正確に位置決めして回転停止させることができる。
【００１３】
ことに、一方の係止部材を他方の係止部材に係止させる係止機能だけでなく、カバーの回転方向に若干可動許容させてカバーを開位置に正確に回転停止させる位置決め機能との両機能を持たせている。このため、両係止部材を備えるだけでカバーの過回転を防止した回転停止構造が得られる。しかも、両係止部材を組込むだけで過回転防止構造が得られるため部品点数が少なくて済み、また平面方向に係止対応させるため上下方向に嵩張らず、回転支持機構および過回転防止構造の薄型化を実現することができる。
【００１４】
さらに、カバーの開位置は閉位置(０度)を基準に９０度あるいは１８０度などの任意の角度に設定することができる。例えば、回転止め手段としての係止構造を左右対称に設ければ、両係止部材は左右対称の同じ動きをするため、カバーを左回転しても、右回転してもそれぞれ正確に同開位置に回転停止させることができる。
【００１５】
前記回転止め手段を構成する第１係止部材と、第２係止部材は一方を固定設置し、他方を可動許容する構成のため、これらを取付ける本体側とカバー側との取付けを逆にしても同様に構築することができる。
【００１６】
この発明の別の構成では、本体とカバーとを重ね合せて閉じた閉位置から前記カバーを重ね合せたままの平面方向に回転させて、前記カバーを正逆転自在にそれぞれ１８０度回転させた同開位置に回転停止させる回転支持機構であって、前記平面方向に偏心して回転し、その回転した１８０度向きの異なる一方のカム面上の最大偏心回転位置に閉位置対応部を有し、他方のカム面上の最小偏心回転位置に開位置対応部を有する偏心カムと、前記偏心カムの軸心を通して１８０度向きの異なる前記閉位置対応部と開位置対応部との双方の位置を結ぶ方向と同方向に押圧方向を設定して該偏心カムのカム面を押圧し、そのカム面上の閉位置対応部と対応したとき該偏心カムへの押圧負荷と回転規制力とを高めて偏心カムの回転動作を停止させ、これより開位置対応部側に近づくに従い該偏心カムへの押圧負荷を低くし、開位置対応部と対応したとき該偏心カムに対する回転規制力を高めて偏心カムの回転動作を停止させる押圧手段と、前記偏心カムと押圧手段の一方を前記本体に取付け、他方を前記カバーに取付けてカバーを回転支持し、前記カバーを１８０度正転または逆転させたときの開位置に対応する本体とカバーとの開位置対応部のうち、本体側の開位置対応部に取付けられた第１係止部材と、カバー側の開位置対応部に取付けられた第２係止部材と、前記両係止部材の一方をカバーの回転方向に可動支持し、他方を固定して設け、前記カバーを開方向に回転させて前記両係止部材を開位置対応部で係止対応させたとき、前記一方の係止部材を開位置合せ用の可動規制位置まで可動させて前記カバーを開位置に回転停止させる回転止め手段とを備えた回転支持機構の過回転防止構造であることを特徴とする。
【００１７】
ここで偏心カムとは、平面方向に偏心回転し、この偏心カムのカム面を押圧する押圧手段の押圧力によって偏心量の異なる偏心カムに回転力を生じさせる。具体的には、該偏心カムの偏心回転位置によって偏心量が異なり、その偏心量に比例して押圧負荷が異なるため、偏心量の大きい最大偏心回転位置のときは高い押圧負荷になり、低い押圧負荷の最小偏心回転位置へと移動する力が働き、押圧手段が該偏心カムに回転力を生じさせる。
【００１８】
従って、回転規制力が高められて回転停止している高押圧負荷の最大偏心回転位置をカバーの閉位置対応部に設定しておけば、この閉位置対応部より偏心カムを少し回転させるだけで該偏心カムの回転規制が解除されて、該偏心カムは開方向に向けて勢いよく１８０度回転する。これに伴い該偏心カムと一体のカバーは自動的に１８０度回転して開けられる。このため、利用者は片手でカバーを少し押すだけのワンタッチにて開操作することができ、携帯端末に適用した場合は、その開操作性が向上する。逆に、カバーを元の閉状態に戻す場合は、手でカバーを逆向きの回転方向に１８０度回転させれば元に戻すことができる。
【００１９】
さらに、偏心カムは外周面をカム面に用いることができるほか、外周面に沿う上下面の少なくとも一方に押圧手段をガイドする凹溝や凸条を形成し、これらの凹溝や凸条をカム面に用いることができる。
【００２０】
前記押圧手段は、例えばバネで構成することができ、そのバネの押圧力を偏心カムのカム面に終始押圧対応させることができる。このため、偏心カムとの対応位置によって押圧力が異なり、またカム面との接触角度によって偏心カムは回転方向が異なり、偏心カムに左回転または右回転を生じさせることができる。
【００２１】
このように、この押圧手段の押圧力をカバー開方向の回転力に利用してカバーを閉位置から開位置に自動的に回転させることができる。また、偏心カムと押圧手段との対応に際しては、回転方向の一点で双方が係合・離脱許容できる係合構成にすればよく、例えば凹部と押圧ローラとを凹凸対応させれば、凹凸対応する回転停止位置の一点でカバーを正確に位置決めすることができる。
【００２２】
ことに、押圧手段の押圧力がカバー閉方向から開方向への回転力として働くため、閉位置よりカバーを少し回転させて回転規制を解除すれば、該カバーは勢いよく開方向に回転し、１８０度回転して停止する。このため、利用者が保持した方の手の指先でカバーを少し押すだけで自動的に開操作できるため、カバーの開操作性が向上する。逆に、カバーを元の閉位置に戻す場合は、手でカバーを逆向きの閉方向に１８０度回転させれば元に戻すことができる。
【００２３】
上述の重ね合せて連結される本体とカバーとは回転支持機構を介して相対的に回転する構成のため、偏心カムおよび押圧手段を構成する部材を本体側とカバー側の一方と他方に対応させて取付けるだけでなく、これらの取付け側を逆にして取付けることもできる。
【００２４】
この発明によれば、薄型化に適した平面方向に回転する偏心カムを採用し、さらにその偏心カムのカム面を平面方向に押圧する薄型化に適した嵩の低い押圧手段を組合せて構成するため、上下方向に嵩張らず、回転支持機構の小型化ひいては携帯端末などを薄型に設けることができる。
【００２５】
さらに、カバーを同開位置に停止させる場合にも、回転支持機構は左右対称の同構造であるため、カバーを０度の閉位置から１８０度回転させた開位置まで左右対称の同じ動きになり、カバーを両方向に簡単に開操作することができる。このため、カバーを左回転しても、右回転してもそれぞれ正確に１８０度回転した同開位置に回転停止させることができる。
【００２６】
さらに、カバーを回転方向に押圧する押圧手段においてもカバーの軸支方向と直角に押圧するため、該押圧方向と回動方向がカバー軸支方向とそれぞれ直角の同方向であり、軸支方向に積層される偏心カムの上下面の接触抵抗が小さいためトルクロスが小さくなる。また、カバー開位置での係止動作に際しては上述した偏心カムの凹部と押圧ローラなどを凹凸対応させる以外に、両係止部材を係止対応させる回転止め手段によって正確に位置決めし、さらにカバーの過回転を防止することができる。
【００２７】
この発明の別の構成では、一端を回動支点に他端を前記カバーの回転方向に回動自由に軸支させた回転止めレバーと、前記回転止めレバーの回動角度を規制する角度規制部とを設け、前記回転止めレバーと角度規制部との一方を本体とカバーとが対応する開位置対応部の本体側に取付け、他方を開位置対応部のカバー側に取付けた回転止め手段を構成することができる。
【００２８】
前記回転止めレバーは、カバーの回転軸を中心に回動するのではなく、別の位置に回転中心を存在させて小さく回動させるものである。このため、本体またはカバーの一方にコンパクトに組込むことができ、カバーが左回転または右回転してそれぞれ開位置対応部に至ったときのみ、回転止めレバーを角度規制部に規制させてそれぞれ係止する両回転方向に対応した位置決め構成である。
【００２９】
従って、回転止めレバーの一端を回動支点に他端を位置合せ角度の回動領域だけ首振り回動させるように回動量を規制すればよい。例えば、カバーを左回転させたときは、その左回転に連動して回転止めレバーを位置合せ分だけ左回転させて回転規制する。同じく、カバーを右回転させたときは、その右回転に連動して回転止めレバーを位置合せ分だけ右回転させて回転規制し、常にカバーを開位置に正確に位置決めする。
【００３０】
この発明の回転止め手段によると、カバーを開操作したとき、このカバーの回転力を受けて回転止めレバーと、これに対応する角度規制部との規制作用によってカバーは定められた開位置に回転規制され、カバーの過回転が規制される。
【００３１】
この発明の別の構成では、前記カバーの回転方向に沿ってスライド可能に支持されたスライダと、前記スライダのスライド位置を規制するスライド規制部とを設け、前記スライダとスライド規制部との一方を前記開位置対応部の本体側に取付け、他方を前記開位置対応部のカバー側に取付けた回転止め手段を構成することができる。
【００３２】
前記スライダのスライド方向は、カバーの回転に連動して同方向にスライドするように設定しておき、カバーを左回転させたときは、その左回転に連動してスライダを位置合せ分だけ左方向にスライドさせて回転規制する。同じく、カバーを右回転させたときは、その右回転に連動してスライダを位置合せ分だけ右方向にスライドさせて回転規制し、常にカバーを開位置に正確に位置決めする。
【００３３】
この発明の回転止め手段によると、カバーを開方向に回転操作させて開位置対応部に近づくと該カバーの回転操作に連動してスライダがスライド規制部までスライドし、このスライド規制部にスライド規制されたカバーは定められた開位置に回転規制され、カバーの過回転が規制される。
【００３４】
このような回転支持機構の過回転防止構造を備えた携帯端末を用いれば、カバー開位置でのカバーの過回転を防止できるため、カバーを正確に定められた開位置に回転停止することができる。このため、利用者は携帯端末のカバーを開位置に安定して開操作することができ、また開位置より過剰に回転力を加えるような過大な外力が加わっても、カバーはぐらついたり変位しないため信頼性の高い携帯端末が得られる。
【００３５】
前記携帯端末としては、回転支持機構に支持されて開閉操作される本体とカバーとからなる携帯電話機、電子手帳、デジタルカメラ、デジタルビデオカメラ等の機器に適用することができる。
【発明の効果】
【００３６】
この発明によれば、カバーを左回転しても右回転しても同開位置にそれぞれ正確に位置決めして回転停止させることができ、しかも開位置でのカバーの過回転を防止する信頼性の高い回転支持構造が得られる。
【発明を実施するための最良の形態】
【００３７】
カバーの開操作を自動化する際、薄型化に適した平面的な回転支持機構と、その平面的な回転支持機構に適した平面的な過回転防止構造を備えてカバーを開閉操作する。
【実施例１】
【００３８】
この発明の一実施例を以下図面に基づいて説明する。  
図面は水平回転型の携帯電話機を示し、図１において、この水平回転型の携帯電話機１１は長方板形状の本体１２と、同形状のカバー１３とを平面方向に開閉可能に重ね合せ、その重ね合せたままの平面方向にカバー１３を回転させて開閉操作する水平回転型に構成している。
【００３９】
前記本体１２とカバー１３の上面および側面等の外表面には、電話や電子メールなどを含む様々な電子情報を利用するための図示しない表示器や入力装置およびアンテナを装備している。
【００４０】
そして、本体１２とカバー１３との連結に際しては、図２に示すように、下側の本体１２と上側のカバー１３とを、回転支持機構１４を介して平面方向に回転可能に連結している。
【００４１】
この平面方向にカバー１３を回転させる場合、図３(Ａ)に示すように、閉じられたカバー１３の側面を指先で少し左向きに押してずらすと、これに連動して回転支持機構１４の位置規制が外れる。これにより、カバー１３には開方向への回転力を生じさせることができ、これに基づいてカバー１３は、図３(Ｂ)に示すように、自動的に開方向に回転させて開くことができ、例えば本体１２とカバー１３とは縦長に真っ直ぐ伸びた状態で回転が停止する。
【００４２】
同じく、図４(Ａ)に示すように、指先でカバー１３の側面を少し右向きに押した場合も、これに連動して後述する回転支持機構１４には開方向への回転力が生じ、その後は、図４(Ｂ)に示すように、同方向に回転させて開くことができる。
【００４３】
前記回転支持機構１４は、前記カバー１３の基準回転位置を０度とする閉位置から９０度の開位置と１８０度の開位置とに回転停止させる回転力付与機能を備えた水平回転型の左右対称の支持機構を有している。
【００４４】
その支持機構は、図５および図６に示すように、ベース１５の上面に、並列バネ１６ａ，１６ｂと、スライダ１７と、押圧ローラ１８と、弾性リング１９と、回転止めレバー２０と、そのレバーの支点ピン２１と、偏心カム２２と、プレート２３とを搭載し、このうち回転主要部に該当する偏心カム２２とプレート２３とを上下方向に重ね合せ、その対向面間を各連結ピン２４ａ，２４ｂ，２４ｃで一体に連結し、さらに前記ベース１５上に回転可能にカシメ筒２５でカシメ固定して組立ている。
【００４５】
前記ベース１５は正方板形状を有して、本体１２の上面一側に形成された凹部１２ａ(図２参照)に沈み込ませて一体に固定して取付ける。このベース１５は上面に、軸支筒２６と、円形ガイド溝２７と、バネ係止部２８ａ，２８ｂと、スライドガイドレール２９とを有して、これらに前記した各部品が取付けられる。
【００４６】
先ず、軸支筒２６はベース１５の上面中央部に筒体を短く突設し、この軸支筒２６の内周面にカシメ筒２５が挿通ガイドされ、外周面に後述する偏心カム２２とプレート２３とが回転自由に軸支される。
【００４７】
この軸支筒２６を同心円上とする外周囲には断面凹状の円形ガイド溝２７を形成しており、この円形ガイド溝２７に後述する連結ピン２４ｃの下端部を位置決め係止用に回動自由に介在させている。さらに、軸支筒２６を中心とするベース１５の左右両側の一端部にはバネ係止部２８ａ，２８ｂを突出形成し、ここに後述する並列バネ１６ａ，１６ｂの一端が接続される。ベース１５の他端側にはスライドガイドレール２９を形成し、ここに後述するスライダ１７がスライドガイドされる。
【００４８】
次に、並列バネ１６ａ，１６ｂについて説明する。  
前記並列バネ１６ａ，１６ｂは同形状を有してベース１５の両側に並列に配設され、細長いコイル状を有して直線方向に伸縮し、その伸縮する一端部を前記バネ係止部２８ａ，２８ｂに係止し、他端部を後述するスライダ１７のバネ係止部３０ａ，３０ｂに係止させている。
【００４９】
そして、ベース１５上のバネ係止部２８ａ，２８ｂを伸縮基準位置にして並列バネ１６ａ，１６ｂの他端側に引張り作用を働かせる。これにより、他端側のスライダ１７は並列バネ１６ａ，１６ｂの引張り方向と同方向に押圧力が設定されて偏心カム２２に向けて押圧動作する。
【００５０】
上述のスライダ１７は横長片の横方向にスライドガイド用の凹凸面を有しており、さらにこのスライダ１７の両端片１７ａ，１７ｂにはバネ係止部３０ａ，３０ｂを形成し、これらのバネ係止部３０ａ，３０ｂに並列バネ１６ａ，１６ｂの他端部をそれぞれ係止させて、該スライダ１７を押圧方向に引張り、同バネ１６ａ，１６ｂの伸縮方向にスライドさせる。
【００５１】
また、このスライダ１７の両端片１７ａ，１７ｂのスライド方向と対向するベース１５の上面には、スライダ１７の凹凸面を接触対応させてスライド支持するスライドガイドレール２９を形成して、スライダ１７を安定してスライドガイドする。
【００５２】
さらに、スライダ１７の中央部には、押圧ローラ１８を平面方向に回転自由にピン１８ａで軸支し、この押圧ローラ１８がスライダ１７の中央部に位置して該押圧ローラ１８の外周面の一点で後述する偏心カム２２を終始押圧する。
【００５３】
このスライダ１７のスライド幅方向の中央部下面には押圧ローラ１８を軸支するピン１８ａの下端部をスライドガイド用に突設させている。このピン１８ａの下端部をベース１５の上面に形成したスライド方向に沿う凹溝状のスライドガイドレール２９に係合させて、該スライダ１７中央部のピン１８ａの下端部をスライドガイド軸に活用してスライドガイドしている。これらのスライドガイド作用によって、スライダ１７を押圧方向に円滑にスライド動作させることができる。
【００５４】
前記偏心カム２２は、図７および図８に示すように、楕円板形状を有し、この中央部には前記軸支筒２６に回転自由に挿通するための軸孔３１を有している。そして、この軸孔３１を中心に偏心して回転し、１８０度向きの異なる一方の外周面上の偏心量が最大になる最大偏心回転位置に、押圧ローラ１８のローラ面を受止める閉対応凹部３２を有し、また１８０度向きの異なる他方の外周面上の偏心量が最小になる最小偏心回転位置に、押圧ローラ１８のローラ面を受止める開対応凹部３３を有している。このほか、偏心カム２２の外周面上には、回転途中の９０度で回転停止させる左中間対応凹部３４ａと右中間対応凹部３４ｂとを有している。
【００５５】
この場合、押圧ローラ１８の円弧形に突出する凸状のローラ面が、偏心カム２２の偏心量の多い閉対応凹部３２に凹凸対応したとき、バネ圧が高まり、該偏心カム２２への押圧負荷と回転規制力が高まり、該偏心カム２２の回転が規制される。この結果、押圧ローラ１８が偏心カム２２の閉対応凹部３２に凹凸対応した時点で偏心カム２２の回転は停止される。
【００５６】
また、偏心カム２２が回転したときに押圧ローラ１８が閉対応凹部３２から開対応凹部３３に近づくに従い偏心カム２２の偏心量は少なくなるので該偏心カム２２への押圧負荷は低くなる。そして、押圧ローラ１８が開対応凹部３３に凹凸対応したとき、偏心カム２２の偏心量が少ないのでバネ圧は弱くなり、偏心カム２２への押圧負荷も弱まるが、互いに凹凸対応して回転規制力は高いので偏心カム２２は回転が規制される。このため、押圧ローラ１８が偏心カム２２の開対応凹部３３に凹凸対応した時点で偏心カム２２の回転は停止される。
【００５７】
そして、押圧ローラ１８と偏心カム２２の閉対応凹部３２と開対応凹部３３とが凹凸対応したとき、この押圧ローラ１８の動きはスライダ１７と一体に押圧方向に進退して偏心カム２２の中心に向けて押圧するため、この押圧力を受けた偏心カム２２は回転規制力が高められて、両側の回転方向に対する負荷が釣合い押圧バランスを保っている。このため、各対応凹部３２，３３との対応位置では偏心カム２２に回転力は生じない。
【００５８】
さらに、前記左右の中間対応凹部３４ａ，３４ｂにおいても、これらの中間対応凹部３４ａ，３４ｂに押圧ローラ１８の円弧形に突出する凸部分と凹凸対応したとき、該偏心カム２２は同様に９０度の開位置に回転停止する。
【００５９】
また、偏心カム２２の軸孔３１の周囲上面には上述した連結ピン２４ａ〜２４ｃを縦貫させて上端を複数突設させており、これらの連結ピン２４ａ〜２４ｃに後述するプレート２３を上方より重ね合せて一体に連結している。
【００６０】
上述のプレート２３は、前記偏心カム２２と一体に連結した状態で、該プレート２３の四隅に開口した連結穴２３ａを、前記カバー１３の図示しない連結ピンに固定してカバー１３に一体に取付けられ、本体１２とカバー１３とが一体に連結される。そして、前記本体１２の軸支筒２６を中心に、カバー１３は偏心カム２２およびプレート２３とともに一体に回転動作し、この結果、カバー１３は平面方向に左回転または右回転する。
【００６１】
前記カシメ筒２５は、軸支筒２６の内周面側に挿通して、その上部のプレート２３から偏心カム２２を回転可能に下部のベース１５までの上下端部をカシメ固定して連結している。
【００６２】
ところで、前記カバー１３と一体の偏心カム２２が１８０度回転したときに開対応凹部３３を超えて回転しようとする該偏心カム２２の過剰回転を防止するための過回転防止構造を内蔵している。
【００６３】
この過回転防止構造は回転止めレバー２０と、連結ピン２４ｃと、角度規制面３５ａ，３５ｂとから構成される。前記回転止めレバー２０はベース１５の開位置対応部に一端を、支点ピン２１を介して回動自由に軸支し、他端を偏心カム２２の回動方向に回動自由に設けている。
【００６４】
このときの回転止めレバー２０の回動量はベース１５の上面にハの字形の切欠き凹部１５ａを形成し、この切欠き凹部１５ａのうち、ハの字形の左側の切欠き端面を左回転方向の角度規制面３５ａに設け、ハの字形の右側の切欠き端面を右回転方向の角度規制面３５ｂに設けている。
【００６５】
このベース１５上の回転止めレバー２０と開位置対応部で係止対応する偏心カム２２の開位置対応部側には、該偏心カム２２の開位置対応部の下面に連結ピン２４ｃの下端部を位置決め用に垂設させている。
【００６６】
そして、偏心カム２２を開方向に回転させて回転止めレバー２０と連結ピン２４ｃとが開位置対応部で係止対応したとき、回転止めレバー２０は偏心カム２２の回転方向にさらに押されて回転し、回転止めレバー２０を開位置合せ用の角度規制面３５ａ，３５ｂの一方に当接させて偏心カム２２を１８０度の開位置に正確に回動規制させる。
【００６７】
この場合、回転支持機構１４は左右対称の構造であるため、偏心カム２２を０度の閉位置から１８０度回転させた開位置まで左右対称の同じ動きになり、偏心カム２２と一体のカバー１３を両方向に簡単に開操作することができる。このため、カバー１３を左回転しても、右回転してもそれぞれ正確に１８０度回転した同開位置に回転停止させることができる。
【００６８】
さらに、カバー１３を回転方向に押圧する並列バネ１６ａ，１６ｂにおいてもカバー１３の軸支方向と直角の水平方向に押圧するため、軸支方向に積層される偏心カム２２の上下面の接触抵抗が小さいためトルクロスが小さくなる。また、カバー開位置での係止動作に際しては上述した偏心カム２２の対応凹部３２，３３と押圧ローラ１８の凸面とを凹凸対応させる以外に、回転止めレバー２０と連結ピン２４ｃとを係止対応させ、かつ角度規制面３５ａ，３５ｂに位置規制させる回転止め構造によって正確に位置決めし、さらにカバーの過回転を防止することができる。
【００６９】
さらに、前記回転止めレバー２０は、偏心カム２２の軸支筒２６を中心に回動するのではなく、これとは別のベース１５の開位置対応部に回転中心を存在させて小さく回動させるものである。このため、ベース１５にコンパクトに組込むことができ、偏心カム２２が左回転または右回転して、それぞれ１８０度の開位置対応部に至ったときのみ、回転止めレバー２０を角度規制面３５ａ，３５ｂに規制させて係止する両回転方向に対応した位置決め構成である。
【００７０】
従って、回転止めレバー２０の一端を回動支点に他端を位置合せ角度の回動領域だけ首振り回動させるように回動量を規制すればよい。例えば、偏心カム２２を左回転させたときは、１８０度近くでさらに偏心カム２２の左回転に連動して回転止めレバー２０を位置合せ回転量の分だけ左回転させて回転規制する。同じく、偏心カム２２を右回転させたときは、１８０度近くでさらに偏心カム２２の右回転に連動して回転止めレバー２０を位置合せ回転量の分だけ右回転させて回転規制し、常にカバーを１８０度の同開位置に正確に位置決めする。これにより、偏心カム２２は定められた開位置に回転規制され、偏心カム２２の過回転が規制される。
【００７１】
このように構成された回転支持機構１４の開閉動作を、図９〜図１２の動作説明図を参照して説明する。  
通常、携帯電話機１１の待機状態では、本体１２とカバー１３とが閉じられて重ね合された閉状態(図１参照)にある。この閉状態の携帯電話機１１を利用者が片手で持ち、その持っている側の指先でカバー１３を、例えば右向きの平面方向に少し押してずらせば(図３参照)、図９に示すように、回転支持機構１４のプレート２３が同右方向に少し回転する。このとき、図１０に示すように、偏心カム２２も少し右方向に回転し、偏心カム２２は回転ローラ１８と閉対応凹部３２との凹凸対応が外れて少し右回転することになる。
【００７２】
この場合、偏心カム２２の閉対応凹部３２と押圧ローラ１８との凹凸対応が少しずれて相互の閉位置での対応がずれることになり、ここに高負荷で押圧している押圧ローラ１８の押圧力を避けるように偏心カム２２は勢いよく右方向に回転し始め、偏心カム２２は閉対応凹部３２から９０度回転したとき、右中間対応凹部３４ｂと押圧ローラ１８とが凹凸対応し、この凹凸対応した時点で偏心カム２２と一体のカバー１３は９０度の横向きの位置に回転規制されるとともに押圧バランスが保たれて回転停止される。
【００７３】
さらに、この位置よりカバー１３を右回転させれば、偏心カム２２は右方向に回転し始め、偏心カム２２は右中間対応凹部３４ｂから開対応凹部３３まで回転する。
【００７４】
そして、図１０に示すように、この偏心カム２２が１８０度回転したときに開対応凹部３３と押圧ローラ１８とが凹凸対応し、この凹凸対応した時点で偏心カム２２は回転規制されるとともに押圧バランスが保たれて回転停止される。このときの勢いのよい偏心カム２２の回転操作時に、図１１および図１２に示すように、該偏心カム２２と一体のカバー１３が勢いよく１８０度回転して、カバー１３は自動的に開操作される。この開操作は左右対称の構造のため右回転だけでなく左回転においても同様に開操作される。
【００７５】
このように、高押圧負荷の最大偏心回転位置をカバー１３の閉対応凹部３２に設定しておけば、この閉対応凹部３２より偏心カム２２を少し回転させるだけで該偏心カム２２は勢いよく１８０度回転する。これに伴い該偏心カム２２と一体のカバー１３は手動により初期回転させるだけで、その後は自動的に９０度と１８０度の回転位置に回転停止させて開けることができる。このため、利用者は片手でカバー１３を少し押すだけのワンタッチにて開操作することができ、携帯電話機１１の開操作性が向上する。逆に、カバー１３を元の閉状態に戻す場合は、手でカバー１３を逆向きの回転方向に９０度または１８０度回転させれば元に戻すことができる。
【００７６】
次に、カバー１３を１８０度回転させて開操作したときの過回転を規制するカバー１３の回転規制動作について説明する。  
カバー１３が閉状態のときは、回転止めレバー２０は負荷が掛からない自由状態にあって回動待機している。この待機状態からカバー１３の回転操作に伴って偏心カム２２が少し左回転すると、該偏心カム２２と一体の連結ピン２４ｃも回転し、この連結ピン２４ｃが１８０度回転したとき、該連結ピン２４ｃが回転止めレバー２０を若干押し回し、回転止めレバー２０が左側の角度規制面３５ａに当接して回転規制される。
【００７７】
このため、カバー１３を１８０度左回転させて開操作した場合は、それ以上の左回転を規制して開位置を維持する。このため、カバー１３の過剰な回転操作を規制することができる。そして、カバー１３を逆向きに１８０度回転させれば、元の位置に戻る。同じく、図１３および図１４に示すようにカバー１３を右回転して開操作した場合も左右対称の構造であるため同様にカバー１３の過剰回転を規制することができる。
【００７８】
また、カバー１３の左右の各回転量を１８０度にそれぞれ規制することができるため、内部の配線も１８０度以下の回転範囲内の動きに規制することができ、内部の配線は過剰な捩り作用を受けなくなる。それゆえ、カバーが頻繁に開閉操作されても配線は安定して維持される。
【００７９】
さらに、カバー１３に取付けられたプレート２３と本体１２に取付けられたベース１５との上下に対向する対向面間には、前記弾性リング１９を介在させて上下方向の変動を吸収する役目を持たせている。この弾性リング１９はゴム製あるいは金属製等で上下方向に弾性を有するものであればよく、この弾性リング１９を介在させることによってカバー１３の接触安定性の向上およびカバー１３のぐらつきを抑制している。
【実施例２】
【００８０】
図１５〜図１７は回転支持機構１５１の他の実施例を示し、既述した実施例１の回転支持機構１４とは過回転防止構造が異なり、他は略同じ構造を有しているため、その異なる過回転防止構造についてのみ説明する。
【００８１】
先ず、回転支持機構１５１の構成は、ベース１５２の上面に、並列バネ１５３ａ，１５３ｂと、押圧スライダ１５４と、押圧ローラ１５５と、弾性リング１５６と、位置決めスライダ１５７と、偏心カム１５８と、プレート１５９とを搭載し、このうち回転主要部に該当する偏心カム１５８とプレート１５９とを上下方向に重ね合せて各連結ピン１６０ａ，１６０ｂ，１６０ｃで一体に連結し、さらに前記ベース１５２上に偏心カム１５８を回転可能にカシメ筒１６１でカシメ固定して組立ている。
【００８２】
この回転支持機構１５１の過回転防止構造は位置決めスライダ１５７と、連結ピン１６０ｃと、スライド規制面１６２ａ，１６２ｂとから構成される。前記位置決めスライダ１５７は、図１８にも示すように、Ｔ字形に形成した横長の垂直片をスライドガイド片１５７ａに設け、このスライドガイド片１５７ａをベース１５２の開位置対応部に形成した横方向のスライド溝１５２ａにスライド可能に係合させ、さらにＴ字形の中央部に水平方向に突出する水平突片を位置規制片１５７ｂに設けている。
【００８３】
このときのスライド量はスライド溝１５２ａのスライド方向の左側の溝端面を左側のスライド規制面１６２ａに設け、右側の溝端面を右側のスライド規制面１６２ｂに設けている。
【００８４】
前記位置規制片１５７ｂと対応する偏心カム１５８の開位置対応部には、該偏心カム１５８の下面に連結ピン１６０ｃの下端部を垂設し、この垂設された開位置対応部の連結ピン１６０ｃを前記位置規制片１５７ｂに係止対応させるものである。
【００８５】
このため、図１９に示すように、偏心カム１５８を開方向に例えば右回転させて１８０度近く回転したとき、位置規制片１５７ｂと連結ピン１６０ｃとが係止対応し、位置規制片１５７ｂは偏心カム１５８の回転方向に押されて位置決めスライダ１５７はスライドし、図２０に示すように、位置決めスライダ１５７を開位置合せ用の左側のスライド規制面１６２ａに当接させて偏心カム１５８を１８０度の位置に正確に回動規制させる。
【００８６】
この場合、回転支持機構１５１は左右対称の構造であるため、偏心カム１５８を０度の閉位置から１８０度回転させた開位置まで左右対称の同じ動きになるため、カバーを左回転しても右回転しても、それぞれ正確に１８０度回転した同開位置に回転停止させることができる。
【００８７】
上述のように、本体に平面的に取付けられるカバーの平面方向の開操作を手動ではなく自動化して、利用者が片手でカバーを開操作することができる使用性能を高めた回転支持機構を構築し、しかも過回転防止構造を有し、さらにこの過回転防止構造の嵩を低くして携帯に適した薄型の携帯端末を構築することができる。
【００８８】
この発明は請求項に示される技術思想に基づいて応用することができ、上述の実施例の構成のみに限定されるものではない。
【００８９】
例えば、上述の実施例では回転支持機構１４のベース１５を本体１２に取付け、プレート２３をカバー１３に取付けたが、ベース１５をカバー１３に取付け、プレート２３を本体１２に取付けて、逆向きに取付けることもできる。また、上述の実施例では左右対称の偏心カム２２を用いたが、これに限らず、偏心カムの形状を左右非対称に設けたり、偏心カムの左右の外周面の表面抵抗を異ならせたりして開操作時の左回転と右回転の速度を変えるように設けることもできる。さらに、カバーを９０度の開位置と１８０度の開位置とに回転停止させる例を示したが、これに限らず、１８０度の開位置だけに回転停止させるものに限定することもできる。
【図面の簡単な説明】
【００９０】
【図１】実施例１の携帯電話機を閉じた状態を示す外観斜視図。
【図２】実施例１の本体とカバーとの連結対応関係を示す斜視図。
【図３】実施例１のカバーの右回転動作状態を示す斜視図。
【図４】実施例１のカバーの左回転動作状態を示す斜視図。
【図５】実施例１の回転支持機構を示す要部拡大斜視図。
【図６】実施例１の回転支持機構を示す分解斜視図。
【図７】実施例１の偏心カムと押圧ローラとの待機状態での対応関係を示す外観斜視図。
【図８】実施例１の偏心カムを拡大して斜め上方と上面とから見た外観図。
【図９】実施例１の回転支持機構が右回転し始めた状態を示す斜視図。
【図１０】実施例１の偏心カムが右回転し始めた状態を示す斜視図。
【図１１】実施例１の偏心カムが１８０度回転した開位置を示す斜視図。
【図１２】実施例１の偏心カムと一体の連結ピンが左回転したときの過回転防止状態を示す斜視図。
【図１３】実施例１の偏心カムが１８０度右回転した開位置を示す斜視図。
【図１４】実施例１の偏心カムと一体の連結ピンが右回転したときの過回転防止状態を示す斜視図。
【図１５】実施例２の回転支持機構を示す斜視図。
【図１６】実施例２の回転支持機構を示す分解斜視図。
【図１７】実施例２の回転支持機構の閉位置での待機状態を示す斜視図。
【図１８】実施例２の位置決めスライダのスライド状態を示す斜視図。
【図１９】実施例２の偏心カムと一体の連結ピンが右回転したときのスライド直前の状態を示す説明図。
【図２０】実施例２の偏心カムと一体の連結ピンが右回転したときのスライド後の過回転防止状態を示す説明図。
【図２１】従来の携帯電話機のカバーの開操作状態を示す斜視図。
【符号の説明】
【００９１】
１１…携帯電話機
１２…本体
１３…カバー
１４，１５１…回転支持機構
１５，１５２…ベース
１８，１５５…押圧ローラ
２０…回転止めレバー
２２，１５８…偏心カム
２４ｃ，１６０ｃ…連結ピン
３２…閉対応凹部
３３…開対応凹部
３５ａ，３５ｂ…角度規制面
１５７…位置決めスライダ
１６２ａ，１６２ｂ…スライド規制面
【図１】
2006125429.tif 000003
【図２】
2006125429.tif 000004
【図３】
2006125429.tif 000005
【図４】
2006125429.tif 000006
【図５】
2006125429.tif 000007
【図６】
2006125429.tif 000008
【図７】
2006125429.tif 000009
【図８】
2006125429.tif 000010
【図９】
2006125429.tif 000011
【図１０】
2006125429.tif 000012
【図１１】
2006125429.tif 000013
【図１２】
2006125429.tif 000014
【図１３】
2006125429.tif 000015
【図１４】
2006125429.tif 000016
【図１５】
2006125429.tif 000017
【図１６】
2006125429.tif 000018
【図１７】
2006125429.tif 000019
【図１８】
2006125429.tif 000020
【図１９】
2006125429.tif 000021
【図２０】
2006125429.tif 000022
【図２１】
2006125429.tif 000023